(57)【要約】【課題】情報処理装置の使用に際し、操作を充分に把握していないユーザに対して操作の補助を行えるようにする。【解決手段】操作選択処理部２３１は、操作の選択領域を複数含む操作選択画面を表示部１１０に表示させ、前入力処理部２２０が検出した領域選択にて選択された操作を検出する。また、機能選択処理部２３２は、複数の操作を含む操作手順にて実行される機能の選択領域を複数含む機能選択画面を表示部１１０に表示させ、入力処理部２２０が検出した領域選択にて選択された機能を検出する。そして、操作補助処理部２３３は、機能選択処理部２３２が検出した機能を実行するための操作手順に含まれる各操作について、当該操作の選択領域を含む操作選択画面を、当該操作の選択領域を識別可能に表示部１１０に表示させる。【選択図】図１６
2013225247.tif 000002
【特許請求の範囲】
【請求項１】
表示部と、
前記表示部が表示した領域のいずれかを選択する領域選択を検出する入力処理部と、
操作の選択領域を複数含む操作選択画面を前記表示部に表示させ、前記入力処理部が検出した領域選択にて選択された操作を検出する操作選択処理部と、
複数の操作を含む操作手順にて実行される機能の選択領域を複数含む機能選択画面を前記表示部に表示させ、前記入力処理部が検出した領域選択にて選択された機能を検出する機能選択処理部と、
前記機能選択処理部が検出した機能を実行するための操作手順に含まれる各操作について、当該操作の選択領域を含む前記操作選択画面を、当該操作の選択領域を識別可能に前記表示部に表示させる操作補助処理部と、
を具備することを特徴とする情報処理装置。
【請求項２】
前記操作選択処理部は、前記機能選択画面の表示要求操作の選択領域を含む前記操作選択画面を前記表示部に表示させ、
前記機能選択処理部は、前記操作選択処理部が、前記機能選択画面の表示要求操作の選択を検出すると、前記機能選択画面を前記表示部に表示させる
ことを特徴とする請求項１に記載の情報処理装置。
【請求項３】
表示部を具備する情報処理装置に、
前記表示部が表示した領域のいずれかを選択する領域選択を検出する入力処理ステップと、
操作の選択領域を複数含む操作選択画面を前記表示部に表示させ、前記入力処理ステップにて検出した領域選択にて選択された操作を検出する操作選択処理ステップと、
複数の操作を含む操作手順にて実行される機能の選択領域を複数含む機能選択画面を前記表示部に表示させ、前記入力処理ステップにて検出した領域選択にて選択された機能を検出する機能選択処理ステップと、
前記機能選択処理ステップにて検出した機能を実行するための操作手順に含まれる各操作について、当該操作の選択領域を含む前記操作選択画面を、当該操作の選択領域を識別可能に前記表示部に表示させる操作補助処理ステップと、
を具備することを特徴とする操作補助方法。
【請求項４】
表示部を具備する情報処理装置に、
前記表示部が表示した領域のいずれかを選択する領域選択を検出する入力処理ステップと、
操作の選択領域を複数含む操作選択画面を前記表示部に表示させ、前記入力処理ステップにて検出した領域選択にて選択された操作を検出する操作選択処理ステップと、
複数の操作を含む操作手順にて実行される機能の選択領域を複数含む機能選択画面を前記表示部に表示させ、前記入力処理ステップにて検出した領域選択にて選択された機能を検出する機能選択処理ステップと、
前記機能選択処理ステップにて検出した機能を実行するための操作手順に含まれる各操作について、当該操作の選択領域を含む前記操作選択画面を、当該操作の選択領域を識別可能に前記表示部に表示させる操作補助処理ステップと、
を実行させるためのプログラム。
【発明の詳細な説明】
【技術分野】
【０００１】
本発明は、情報処理装置、操作補助方法およびプログラムに関する。
【背景技術】
【０００２】
携帯端末装置などの情報処理装置で実行可能な機能の高度化（たとえば、情報処理装置に搭載されるアプリケーション（アプリケーション・プログラム）の機能の高度化）に伴い、操作が複雑になる傾向がある。
【０００３】
ここで、情報処理装置における操作に関連して、幾つかの技術が提案されている。
例えば、特許文献１に記載の方法では、インテリジェント型携帯通信装置に、コンピュータ制御式高解像度タッチ画面ディスプレイを設け、これをグラフィックユーザインターフェイスとして使用する。グラフィックユーザインターフェイスはマイクロプロセッサによって制御され、このマイクロプロセッサは、また、セルラー電話機の送受信部に接続されるモデムをも制御する。そして、ディスプレイ上に表示される操作メニューの各選択項目の表示表面積は十分に大きくし、精密なポインティングデバイスを用いずに指先によるタッチ画面ディスプレイ操作を容易にする、とされている。
【先行技術文献】
【特許文献】
【０００４】
【特許文献１】特開平１１−１７５２５８号公報
【発明の概要】
【発明が解決しようとする課題】
【０００５】
上述した操作の複雑化に伴い、操作を充分に把握していないユーザは、他者に操作を教えて貰う、または、取扱説明書を丹念に読むなどの必要があり、当該ユーザにとって負担となる。あるいは、当該ユーザがアプリケーションなどの機能の使用を断念せざるを得ない場合もある。
また、特許文献１は、タッチ画面ディスプレイを設けたインテリジェント型携帯通信装置の操作性に関する技術を示すものであり、操作を把握していないユーザを補助する技術については示されていない。
【０００６】
本発明は、上述の課題を解決することのできる情報処理装置、操作補助方法およびプログラムを提供することを目的としている。
【課題を解決するための手段】
【０００７】
この発明は上述した課題を解決するためになされたもので、本発明の一態様による情報処理装置は、表示部と、前記表示部が表示した領域のいずれかを選択する領域選択を検出する入力処理部と、操作の選択領域を複数含む操作選択画面を前記表示部に表示させ、前記入力処理部が検出した領域選択にて選択された操作を検出する操作選択処理部と、複数の操作を含む操作手順にて実行される機能の選択領域を複数含む機能選択画面を前記表示部に表示させ、前記入力処理部が検出した領域選択にて選択された機能を検出する機能選択処理部と、前記機能選択処理部が検出した機能を実行するための操作手順に含まれる各操作について、当該操作の選択領域を含む前記操作選択画面を、当該操作の選択領域を識別可能に前記表示部に表示させる操作補助処理部と、を具備することを特徴とする。
【０００８】
また、本発明の一態様による操作補助方法は、表示部を具備する情報処理装置に、前記表示部が表示した領域のいずれかを選択する領域選択を検出する入力処理ステップと、操作の選択領域を複数含む操作選択画面を前記表示部に表示させ、前記入力処理ステップにて検出した領域選択にて選択された操作を検出する操作選択処理ステップと、複数の操作を含む操作手順にて実行される機能の選択領域を複数含む機能選択画面を前記表示部に表示させ、前記入力処理ステップにて検出した領域選択にて選択された機能を検出する機能選択処理ステップと、前記機能選択処理ステップにて検出した機能を実行するための操作手順に含まれる各操作について、当該操作の選択領域を含む前記操作選択画面を、当該操作の選択領域を識別可能に前記表示部に表示させる操作補助処理ステップと、を具備することを特徴とする。
【０００９】
また、本発明の一態様によるプログラムは、表示部を具備する情報処理装置に、前記表示部が表示した領域のいずれかを選択する領域選択を検出する入力処理ステップと、操作の選択領域を複数含む操作選択画面を前記表示部に表示させ、前記入力処理ステップにて検出した領域選択にて選択された操作を検出する操作選択処理ステップと、複数の操作を含む操作手順にて実行される機能の選択領域を複数含む機能選択画面を前記表示部に表示させ、前記入力処理ステップにて検出した領域選択にて選択された機能を検出する機能選択処理ステップと、前記機能選択処理ステップにて検出した機能を実行するための操作手順に含まれる各操作について、当該操作の選択領域を含む前記操作選択画面を、当該操作の選択領域を識別可能に前記表示部に表示させる操作補助処理ステップと、を実行させるためのプログラムである。
【発明の効果】
【００１０】
本発明によれば、操作を充分に把握していないユーザに対して操作の補助を行うことができる。
【図面の簡単な説明】
【００１１】
【図１】本発明の一実施形態における携帯端末装置のハードウェア構成を示す概略構成図である。
【図２】同実施形態における携帯端末装置の機能構成を示す概略ブロック図である。
【図３】同実施形態における表示部が表示する操作選択画面の例を示す説明図である。
【図４】同実施形態における表示部が表示する機能選択画面の例を示す説明図である。
【図５】同実施形態における表示部が表示する、操作の選択領域を識別可能な操作選択画面の例を示す説明図である。
【図６】同実施形態において機能毎に予め設定されている識別対象の例を示す説明図である。
【図７】同実施形態における表示部が表示する、操作の選択領域を識別可能な操作選択画面のもう１つの例を示す説明図である。
【図８】同実施形態における表示部が表示する新規メール作成画面の例を示す説明図である。
【図９】同実施形態において、新規メール作成画面への宛先入力に関して表示部が表示する機能選択画面の例を示す説明図である。
【図１０】同実施形態における表示部が表示する、操作の選択領域を識別可能な操作選択画面のさらにもう１つの例を示す説明図である。
【図１１】同実施形態における表示部が表示する、操作の選択領域を識別可能な操作選択画面のさらにもう１つの例を示す説明図である。
【図１２】同実施形態における表示部が表示する、操作の選択領域を識別可能な操作選択画面のさらにもう１つの例を示す説明図である。
【図１３】同実施形態における表示部が表示する、操作の選択領域を識別可能な操作選択画面のさらにもう１つの例を示す説明図である。
【図１４】同実施形態において、携帯端末装置が行う処理の手順を示すフローチャートである。
【図１５】同実施形態において、アプリケーション実行部が、ユーザの選択した機能に対応する操作を表示部に表示させ、当該操作に応じた処理を実行する手順を示すフローチャートである。
【図１６】情報処理装置における本発明の最小構成を示す概略ブロック図である。
【発明を実施するための形態】
【００１２】
以下、図面を参照して、本発明の実施の形態について説明する。以下では、本発明を携帯端末装置（携帯電話機またはスマートフォン）に適用した場合を例に説明するが、本発明の適用範囲は携帯端末装置に限らない。パソコン（Personal Computer；ＰＣ）や、形態情報端末（Personal Digital Assistant；ＰＤＡ）や、ゲーム機など、ユーザ操作を受けて処理を実行する様々な情報処理装置に本発明を適用し得る。
【００１３】
図１は、本発明の一実施形態における携帯端末装置のハードウェア構成を示す概略構成図である。同図において、携帯端末装置２は、ＣＰＵ１１と、ＲＯＭ１２と、ＲＡＭ１３と、入力デバイス１４と、グラフィックスアクセラレータ１５と、表示装置１６と、電源装置１７とを具備する。
なお、携帯端末装置２は、他にも通信回路やカメラやマイクおよびスピーカなどを具備しているが、図示および説明を省略する。
【００１４】
携帯端末装置２は、音声通話や電子メールやウェブブラウザなどの各種機能を実行（ユーザに提供）する装置である。
ＣＰＵ１１は、ＲＯＭ１２およびＲＡＭ１３が記憶しているプログラムを読み出して実行することで動作し、携帯端末装置２の各部を制御して、各種機能を実行する。
ＲＯＭ１２は、ＯＳ（Operating System）など、組み込みのプログラムやデータを記憶する。
ＲＡＭ１３は、ダウンロードされたアプリケーション（アプリケーション・プログラム）など、更新可能なプログラムやデータを記憶する。
【００１５】
表示装置１６は、例えば液晶パネル等の表示画面を有し、グラフィックスアクセラレータ１５の制御に従って、動画像や静止画像やテキスト（文字）など各種画像を当該表示画面に表示する。
グラフィックスアクセラレータ１５は、ＣＰＵ１１の制御に従って描画処理を行う。そして、グラフィックスアクセラレータ１５は、表示装置１６を制御して、描画処理にて得られた画像を表示させる。
入力デバイス１４は、表示装置１６の表示画面に設置されたタッチセンサ（タッチパネル）を有し、表示画面へのタッチ操作にてユーザ操作を受け付ける。
電源装置１７は、二次電池を含み、携帯端末装置２の各部に電力を供給する。
【００１６】
図２は、携帯端末装置２の機能構成を示す概略ブロック図である。
同図において、携帯端末装置２は、表示部１１０と、操作入力部１２０と、制御部２００と、記憶部３００とを具備する。制御部２００は、表示制御部２１０と、入力処理部２２０とを具備する。入力処理部２２０は、アプリケーション実行部２３０と、操作選択処理部２３１と、機能選択処理部２３２と、操作補助処理部２３３とを具備する。
なお、携帯端末装置２は、他にも通信部や撮像部や音声取得部、音声出力部および音声処理部などを具備しているが、図示および説明を省略する。
【００１７】
表示部１１０は、図１の表示装置１６にて実現され、表示画面を有して動画像や静止画像やテキスト（文字）など各種画像を当該表示画面に表示する。
操作入力部１２０は、図１の入力デバイス１４にて実現され、表示部１１０の表示画面へのタッチ操作にてユーザ操作を受け付ける。
記憶部３００は、図１のＲＯＭ１２およびＲＡＭ１３にて実現され、制御部２００が実行するプログラムや各種データを記憶する。
【００１８】
制御部２００は、図１のＣＰＵ１１およびグラフィックスアクセラレータ１５にて実現され、携帯端末装置２の各部を制御して各種機能を実行する。
表示制御部２１０は、アプリケーション実行部２３０からの描画指示に従って描画処理を行い、表示部１１０（の表示画面）に表示させる画像（以下、「画面画像」と称する）を生成する。そして、表示制御部２１０は、表示部１１０を制御して、生成した画面画像を表示させる。
【００１９】
入力処理部２２０は、操作入力部１２０が受けたユーザ操作を検出する。具体的には、入力処理部２２０は、操作入力部１２０が受けたタッチ操作の表示画面における位置に基づいて、タッチされた領域（例えばアイコンまたはメニュー項目）を検出し、検出結果をアプリケーション実行部２３０に出力する。このように、入力処理部２２０は、表示部１１０が表示した領域のいずれかを選択する領域選択を検出する。
【００２０】
アプリケーション実行部２３０は、ユーザ操作や割込信号（電話着信や電子メール受信など）に応じて、記憶部３００からアプリケーション・プログラムを読み出して実行する。そして、アプリケーション実行部２３０は、アプリケーション・プログラムの実行に応じて表示制御部２１０に描画指示を出力する。
【００２１】
操作選択処理部２３１は、操作の選択領域を複数含む操作選択画面を、表示制御部２１０を介して表示部１１０に表示させる。また、操作選択処理部２３１は、入力処理部２２０が検出した領域選択にて選択された操作を検出する。本実施形態では、ユーザは、表示部１１０が表示した項目の選択領域のいずれかにタッチして当該項目を選択することでユーザ操作を行う。従って、操作選択処理部２３１は、操作の選択領域を表示部１１０に表示させ、ユーザによって選択された操作を検出することで、ユーザ操作を検出する。この操作選択処理部２３１が検出したユーザ操作に従って、アプリケーション実行部２３０が処理を実行することで、ユーザに各種サービスを提供する。
【００２２】
図３は、表示部１１０が表示する操作選択画面の例を示す説明図である。同図では、操作選択画面の一例として、アプリケーション選択画面が示されている。同図に示すアプリケーション選択画面は、「ガイド」キーＡ１０１と、「カメラ」キーＡ１０２と、「ワンセグ」キーＡ１０３と、「設定」キーＡ１０４と、「メール」キーＡ１０５と、「データフォルダ」キーＡ１０６と、「音楽」キーＡ１０７と、「電話」キーＡ１０８と、「ホーム」キーＡ１０９と、「ブラウザ」キーＡ１１０とを含む。
【００２３】
「ガイド」キーＡ１０１は、図４を参照して後述する機能選択画面の表示を要求するユーザ操作の選択領域である。すなわち、携帯端末装置２は、「ガイド」キーＡ１０１へのタッチにて、機能選択画面の表示を要求するユーザ操作を受ける。このように、操作選択処理部２３１は、機能選択画面の表示要求操作の選択領域を含む操作選択画面を、表示部１１０に表示させる。
【００２４】
「カメラ」キーＡ１０２は、撮像アプリケーションの実行を要求するユーザ操作の選択領域である。
「ワンセグ」キーＡ１０３は、ワンセグ放送視聴アプリケーション（ワンセグ（１ｓｅｇ）でのテレビジョン放送やデータ放送を視聴するアプリケーション）の実行を要求するユーザ操作の選択領域である。
【００２５】
「設定」キーＡ１０４は、着信音量の設定や待受画面画像の設定など各種設定を行う設定モードへの遷移を要求するユーザ操作の選択領域である。
「メール」キーＡ１０５は、電子メールアプリケーションの実行を要求するユーザ操作の選択領域である。
「データフォルダ」キーＡ１０６は、データやフォルダ（ディレクトリ）の複製や移動や削除やデータ名やフォルダ名の変更など、データやフォルダに対する各種処理を行うためのデータフォルダウィンドウの表示を要求するユーザ操作の選択領域である。
【００２６】
「音楽」キーＡ１０７は、音楽アプリケーション（音声データのダウンロードや再生を行うアプリケーション）の実行を要求するユーザ操作の選択領域である。
「電話」キーＡ１０８は、音声通話アプリケーション（音声通話機能）の実行を要求するユーザ操作の選択領域である。
「ホーム」キーＡ１０９は、携帯端末装置２のホーム画面（トップ画面）としての待受画面への移行（待受画面の表示）を要求するユーザ操作の選択領域である。
【００２７】
「ブラウザ」キーＡ１１０は、ウェブブラウザアプリケーション（ウェブページの閲覧機能を提供するアプリケーション）の実行を要求するユーザ操作の選択領域である。
このように、操作選択画面（図３の例ではアプリケーション選択画面）は、操作の選択領域を複数含んでいる。
【００２８】
また、上述したように、操作選択処理部２３１は、入力処理部２２０が検出した領域選択にて選択された操作を検出する。例えば、表示部１１０が図３のアプリケーション選択画面を表示している状態で、ユーザが、「メール」キーＡ１０５へのタッチ操作を行うと、操作入力部１２０が、表示画面におけるタッチ位置を示すタッチセンサ信号を入力処理部２２０に出力する。そして、入力処理部２２０は、操作入力部１２０からのタッチセンタ信号に基づいて、「メール」キーＡ１０５がタッチされたことを検出し、検出結果を示す情報をアプリケーション実行部２３０（操作選択処理部２３１）に出力する。例えば、入力処理部２２０は、「メール」キーＡ１０５に予め設定されている識別番号を、検出結果を示す情報としてアプリケーション実行部２３０に出力する。
そして、操作選択処理部２３１は、入力処理部２２０からの情報に基づいて、電子メールアプリケーションの実行を要求する操作が選択されたことを検出する。
【００２９】
ただし、本発明の適用範囲は、表示画面に設定された領域を、当該領域へのタッチにて選択する場合に限らない。表示画面に設定された領域を、マウスを用いて選択する場合や、方向キーおよび決定ボタンを用いて選択する場合など、様々な選択方法を用いる場合に本発明を適用可能である。
【００３０】
機能選択処理部２３２は、複数の操作を含む操作手順にて実行される機能（携帯端末装置２（アプリケーション実行部２３０）が実行する機能）の選択領域を複数含む機能選択画面を、表示制御部２１０を介して表示部１１０に表示させる。また、機能選択処理部２３２は、入力処理部２２０が検出した領域選択にて選択された機能を検出する。
【００３１】
図４は、表示部１１０が表示する機能選択画面の例を示す説明図である。同図では、機能選択画面の一例として、アプリケーション選択画面から選択可能な機能を複数示す機能選択画面が示されている。同図に示す機能選択画面は、写真撮影選択領域Ａ２０１と、テレビ視聴選択領域Ａ２０２と、受信メール閲覧選択領域Ａ２０３と、送信メール作成選択領域Ａ２０４と、音楽再生選択領域Ａ２０５とを含む。
【００３２】
表示部１１０は、図３のアプリケーション選択画面にて「ガイド」キーＡ１０１がタッチされると、図４の機能選択画面を表示する。
具体的には、図３のアプリケーション選択画面において、ユーザが「ガイド」キーＡ１０１にタッチすると、まず、操作入力部１２０が、画面上におけるタッチ位置を示す信号を入力処理部２２０に出力する。次に、入力処理部２２０は、操作入力部１２０からの信号に従って、「ガイド」キーＡ１０１がタッチされたことを検出し、検出結果（「ガイド」キーＡ１０１がタッチされたこと）を示す情報をアプリケーション実行部２３０（操作選択処理部２３１）に出力する。
【００３３】
アプリケーション実行部２３０では、操作選択処理部２３１が、入力処理部２２０の検出結果に基づいて、機能選択画面の表示要求操作が選択されたことを検出し、機能選択画面の表示を要求されたことを機能選択処理部２３２に通知する。そして、機能選択処理部２３２は、操作選択処理部２３１からの通知に従って、機能選択画面を、表示制御部２１０を介して表示部１１０に表示させる。
このように、機能選択処理部２３２は、操作選択処理部２３１が、機能選択画面の表示要求操作の選択を検出すると、機能選択画面を表示部１１０に表示させる。
【００３４】
図４の写真撮影選択領域Ａ２０１は、撮像機能（撮像アプリケーションにて画像を撮像し、画像データを記憶部３００に保存する機能）の選択領域である。この撮像機能は、撮像アプリケーションの選択操作、および、シャッターボタン押下操作を受けて、アプリケーション実行部２３０が実行する。ここで、ユーザは、図３のアプリケーション選択画面にて「カメラ」キーＡ１０２にタッチすることで、撮像アプリケーションの選択操作を行う。また、ユーザは、表示部１１０の表示するシャッターボタン（撮像実行の選択領域）にタッチすることで、シャッターボタン押下操作を行う。
【００３５】
テレビ視聴選択領域Ａ２０２は、テレビ視聴機能（ワンセグ放送視聴アプリケーションにてテレビジョン放送を受信し、テレビジョン画像の表示および音声の出力を行う機能）の選択領域である。このテレビ視聴機能は、ワンセグ放送視聴アプリケーションの選択操作、および、テレビ視聴選択操作を受けて、アプリケーション実行部２３０が実行する。ここで、ユーザは、図３のアプリケーション選択画面にて「ワンセグ」キーＡ１０３にタッチすることで、ワンセグ放送視聴アプリケーションの選択操作を行う。また、ユーザは、表示部１１０の表示する、テレビ視聴や録画予約等のメニューからテレビ視聴を選択する（テレビ視聴の選択領域にタッチする）ことで、テレビ視聴選択操作を行う。
【００３６】
受信メール閲覧選択領域Ａ２０３は、受信メール閲覧機能（電子メールアプリケーションにて、受信メールを表示する機能）の選択領域である。この受信メール閲覧機能は、電子メールアプリケーションの選択操作、および、メール選択操作を受けて、アプリケーション実行部２３０が実行する。ここで、ユーザは、図３のアプリケーション選択画面にて「メール」キーＡ１０５にタッチすることで、電子メールアプリケーションの選択操作を行う。また、ユーザは、表示部１１０の表示する受信メール一覧画面にて、閲覧したい電子メールを選択する（当該電子メールの選択領域にタッチする）ことで、メール選択操作を行う。
【００３７】
送信メール作成選択領域Ａ２０４は、送信メール作成機能（電子メールアプリケーションにて、送信メールを作成（生成）する機能）の選択領域である。この送信メール作成機能は、電子メールアプリケーションの選択操作、メール作成画面表示操作、および、各項目への入力操作を受けて、アプリケーション実行部２３０が実行する。ここで、ユーザは、図３のアプリケーション選択画面にて「メール」キーＡ１０５にタッチすることで、電子メールアプリケーションの選択操作を行う。また、ユーザは、表示部１１０の表示する受信メール一覧画面（図７参照）にて、「新規作成」キーを押下することで、メール作成画面表示操作を行う。
【００３８】
音楽再生選択領域Ａ２０５は、音楽再生機能（音楽アプリケーションにて、音楽フォルダに格納されている音声データを再生する機能）の選択領域である。この音楽再生機能は、音楽アプリケーションの選択操作、および、音楽選択操作を受けて、アプリケーション実行部２３０が実行する。ここで、ユーザは、図３のアプリケーション選択画面にて「音楽」キーＡ１０７にタッチすることで、音楽アプリケーションの選択操作を行う。また、ユーザは、表示部１１０の表示する音楽一覧画面（音楽フォルダに格納されている音声データの一覧画面）にて、聴きたい音楽の選択領域にタッチすることで、音楽選択操作を行う。
このように、機能選択画面は、複数の操作を含む操作手順にて実行される機能の選択領域を複数含んでいる。
【００３９】
操作補助処理部２３３は、機能選択処理部２３２が検出した機能を実行するための操作手順に含まれる各操作について、当該操作の選択領域を含む操作選択画面を、当該操作の選択領域を識別可能に、表示制御部２１０を介して表示部１１０に表示させる。ここでいう選択領域の識別可能な表示は、当該選択領域にタッチすべきことをユーザが識別し得るように表示することである。
操作補助処理部２３３の動作について、図５〜図１３を参照して説明する。
【００４０】
図５は、表示部１１０が表示する、操作の選択領域を識別可能な操作選択画面の例を示す説明図である。
アプリケーション選択画面からの機能選択画面（図４）にて、ユーザが送信メール作成選択領域Ａ２０４にタッチすると、操作入力部１２０がタッチ位置情報（表示画面においてタッチされた位置を示す情報（信号））を入力処理部２２０に出力する。そして、入力処理部２２０は、操作入力部１２０からのタッチ位置情報に基づいて、送信メール作成選択領域Ａ２０４をタッチされたことを検出し、検出結果を示す情報をアプリケーション実行部２３０（機能選択処理部２３２）に出力する。
【００４１】
アプリケーション実行部２３０では、機能選択処理部２３２が、入力処理部２２０の検出結果に基づいて、送信メール作成機能が選択されたことを検出し、送信メール作成機能が選択されたことを操作補助処理部２３３に通知する。すると、操作補助処理部２３３は、図４の機能選択画面の元の画面である図３のアプリケーション選択画面を表示部１１０に表示させるよう、操作選択処理部２３１に指示する。また、操作補助処理部２３３は、「メール」キーを識別可能に表示する（表示部１１０に表示させる）よう、表示制御部２１０に指示（制御）する。
【００４２】
操作選択処理部２３１は、操作補助処理部２３３からの指示に従って、アプリケーション選択画面のデータを表示制御部２１０に出力することで、表示部１１０にアプリケーション選択画面を表示させるよう、表示制御部２１０を制御する。そして、表示制御部２１０は、操作選択処理部２３１からのデータに基づいてアプリケーション選択画面の画面画像データを生成し、表示部１１０に表示させる。その際、表示制御部２１０は、操作補助処理部２３３からの指示に従って、「メール」キーを識別可能に表示する画面画像データを生成することで、図５のように「メール」キーを識別可能に、表示部１１０に表示させる。
【００４３】
ここで、表示部１１０が選択領域を識別可能に表示する方法として様々な方法を用いることができる。例えば、表示部１１０が、選択領域または領域内に表示する文字の色、輝度または大きさ、あるいはこれらの組み合わせを変化させて表示させるようにしてもよいし、選択領域または領域内に表示する文字を点滅（ブリンク）させるようにしてもよい。
特に、表示部１１０が、選択領域または領域内に表示する文字の輝度を大きく（明るく）表示するなど、選択領域を強調表示すると、ユーザは、当該識別領域を識別（他の選択領域と区別）し易くなると期待される。
【００４４】
ここで、操作補助処理部２３３は、機能毎に予め設定されている識別対象を、表示制御部２１０を介して表示部１１０に識別可能に表示させる。
図６は、機能毎に予め設定されている識別対象の例を示す説明図である。同図は、記憶部３００が予め（操作補助処理部２３３が表示部１１０に選択領域を識別可能に表示させる前に）記憶している識別対象情報テーブルの例を示している。
【００４５】
同図に示すように、選択対象情報テーブルでは、元画面および機能と、一連の識別対象とが対応付けられている。
ここでいう元画面は、機能選択処理部２３２が機能選択画面を表示部１１０に表示させる際に、操作選択処理部２３１が表示部１１０に表示させていた操作選択画面である。また、機能欄には、元画面欄に示される操作選択画面にて選択可能な機能を示す情報（図６の例では機能名）が格納されている。また、識別対象欄には、対応付けられた機能が選択された際に識別可能に表示すべき一連の選択対象を示す情報（図６の例では領域名）が格納されている。
【００４６】
操作補助処理部２３３は、選択された機能の通知を機能選択処理部２３２から受けると、さらに元画面を検出する（例えば、操作選択処理部２３１に元画面を問い合わせる）。そして、操作補助処理部２３３は、元画面と機能とを検索キーとして、当該元画面および機能に対応付けられている一連の識別対象を識別対象情報テーブルから読み出す。そして、操作補助処理部２３３は、操作選択画面にて、読み出した識別対象を順次識別可能に表示させる。
【００４７】
図５の例では、操作補助処理部２３３は、図６の行Ｌ１０１に格納されている一連の識別対象の示す「メール」キーを、表示部１１０に識別可能に表示させている。
具体的には、操作補助処理部２３３は、まず、図４にて選択された送信メール作成選択領域Ａ２０４の示す機能名「送信メール作成機能」と、元画面の名称「アプリケーション選択画面」とを取得する。そして、操作補助処理部２３３は、これらの名称を検索キーとして、識別対象情報テーブルの行Ｌ１０１に格納されている、識別対象の名称「メール」キーと「新規作成」キーとを読み出す。そして、操作補助処理部２３３は、操作選択処理部２３１が表示制御部２１０を介して表示部１１０に表示させるアプリケーション選択画面にて、まず、一連の識別対象の先頭に示される「メール」キーを識別可能に表示させる。
【００４８】
図７は、表示部１１０が表示する、操作の選択領域を識別可能な操作選択画面のもう１つの例を示す説明図である。アプリケーション実行部２３０は、図５の操作選択画面に続いて、図７の操作選択画面を表示部１１０に表示させる。
具体的には、図５の操作選択画面にて識別可能に表示されている「メール」キーにユーザがタッチすると、まず、操作入力部１２０がタッチ位置情報を入力処理部２２０に出力する。そして、入力処理部２２０は、操作入力部１２０からのタッチ位置情報に基づいて、「メール」キーをタッチされたことを検出し、検出結果を示す情報をアプリケーション実行部２３０（操作補助処理部２３３）に出力する。
【００４９】
アプリケーション実行部２３０では、操作補助処理部２３３が、入力処理部２２０の検出結果に基づいて、識別対象となっている選択領域が選択されたことを検出する。そして、アプリケーション実行部２３０は、「メール」キーへのタッチに応じた操作として、受信メール一覧画面の画面画像データを生成し、表示部１１０に表示させる。その際、アプリケーション実行部２３０は、図７のように「新規作成」キーを識別可能に表示させる。
【００５０】
具体的には、まず、操作補助処理部２３３が、「メール」キーをタッチされたことを操作選択処理部２３１に通知して、操作選択画面の更新を指示する。また、操作補助処理部２３３は、識別対象情報テーブルから読み出した一連の識別対象のうち、「メール」キーの次に示されている「新規作成」キーを識別可能に表示する（表示部１１０に表示させる）よう、表示制御部２１０に指示（制御）する。
【００５１】
ここで、アプリケーション選択画面にて「メール」キーが選択された場合の操作選択画面として、電子メールアプリケーションのトップ画面である受信メール一覧画面を表示するよう予め設定されている。そこで、操作選択処理部２３１は、操作補助処理部２３３からの指示に従って、受信メール一覧画面のデータを表示制御部２１０に出力することで、表示部１１０にアプリケーション選択画面を表示させるよう、表示制御部２１０を制御する。
【００５２】
そして、表示制御部２１０は、操作選択処理部２３１からのデータに基づいて受信メール一覧画面の画面画像データを生成し、表示部１１０に表示させる。その際、表示制御部２１０は、操作補助処理部２３３からの指示に従って、「新規作成」キーを識別可能に表示する画面画像データを生成することで、図７のように「新規作成」キーを識別可能に、表示部１１０に表示させる。
【００５３】
なお、操作補助処理部２３３が操作選択画面を更新させるタイミングは、ユーザが表示画面をタッチしたタイミングに限らない。例えば、図５の操作選択画面の表示開始から一定時間経過すると操作補助処理部２３３が操作選択画面を更新させるなど、操作補助処理部２３３が、一定時間毎に操作選択画面を更新させるようにしてもよい。
この場合、ユーザは、タッチ操作を繰り返し行う必要無しに、機能選択画面にて選択した機能を実行させるための操作手順を確認できる。
一方、ユーザが表示画面をタッチしたタイミングで操作補助処理部２３３が操作選択画面を更新させる場合、実際にタッチ操作を行うことで、ユーザが操作手順を覚え易くなると期待できる。
【００５４】
図８は、表示部１１０が表示する新規メール作成画面の例を示す説明図である。操作補助処理部２３３は、図７の操作選択画面（受信メール一覧画面）に続いて、図８の操作選択画面（新規メール作成画面）を表示部１１０に表示させる。
具体的には、図７の操作選択画面にて識別可能に表示されている「新規作成」キーにユーザがタッチすると、操作入力部１２０がタッチ位置情報を入力処理部２２０に出力する。そして、入力処理部２２０は、操作入力部１２０からのタッチ位置情報に基づいて、「新規作成」キーをタッチされたことを検出し、検出結果を示す情報をアプリケーション実行部２３０（操作補助処理部２３３）に出力する。
【００５５】
アプリケーション実行部２３０では、操作補助処理部２３３が、入力処理部２２０の検出結果に基づいて、識別対象となっている選択領域が選択されたことを検出する。そして、アプリケーション実行部２３０は、操作補助処理部２３３の検出結果に基づいて、「新規作成」キーのタッチに応じた処理を行う。具体的には、操作補助処理部２３３が、「新規作成」キーをタッチされたことを操作選択処理部２３１に通知して、操作選択画面の更新を指示する。
【００５６】
ここで、受信メール一覧画面にて「新規作成」キーが選択された場合の操作選択画面として、新規メール作成画面を表示するよう予め設定されている。そこで、操作選択処理部２３１は、操作補助処理部２３３からの指示に従って、新規メール作成画面を表示制御部２１０に出力することで、表示部１１０に新規メール作成画面を表示させるよう、表示制御部２１０を制御する。
【００５７】
そして、表示制御部２１０は、操作選択処理部２３１からのデータに基づいて新規メール作成画面の画面画像データを生成し、図８のように、新規メール作成画面を表示部１１０に表示させる。
一方、ここでは、操作補助処理部２３３が識別対象情報テーブルから読み出した一連の識別対象の全てについて、識別可能な表示を完了している。このため、操作補助処理部２３３は、表示制御部２１０に対する識別可能な表示の指示を行わない。
【００５８】
このように、携帯端末装置２（操作補助処理部２３３）が、新規メール作成画面を表示させる操作手順をガイドすることで、ユーザは、当該操作を把握し得る。さらに、ガイドの過程にて表示部１１０が図７の着信メール一覧画面を表示することで、ユーザは、アプリケーション選択画面（図３）にて「メール」キーＡ１０５にタッチする操作で着信メールを閲覧可能であることも把握し得る。
このように、携帯端末装置２（表示部１１０）が、操作手順を実際に表示することで、ユーザは、複数の操作を関連付けて把握することができる。
【００５９】
以上の例では、図４の機能選択画面にて送信メール作成機能が選択された際に、操作補助処理部２３３は、送信メール作成機能において特にユーザが分かりづらい可能性のある、新規メール作成画面表示までの操作について補助を行っている。ただし、操作補助処理部２３３が操作の補助を行う範囲はこれに限らない。例えば、次に説明する宛先を入力する操作の補助など、送信メールが完成するまでの一連の操作を操作補助処理部２３３が補助するようにしてもよい。
【００６０】
図９は、新規メール作成画面への宛先入力に関して表示部１１０が表示する機能選択画面の例を示す説明図である。機能選択処理部２３２は、図８の新規メール作成画面にて、宛先欄にカーソルのある状態（宛先欄が活性化されている状態）で「ガイド」キーがタッチされると、同図の機能選択画面を、表示制御部２１０を介して表示部１１０に表示させる。
このように、同一の操作選択画面でも活性化の状況に応じて異なる機能選択画面を表示部１１０が表示することで、機能選択画面にて表示する機能（の選択領域）の数を増加させることなく、ユーザが所望する機能を表示し得る。
【００６１】
図９において、直接入力選択領域Ａ３０１は、メールアドレス直接入力機能（メールアドレスの入力操作を受け付けて、入力されたメールアドレスを設定する機能）の選択領域である。直接入力選択領域Ａ３０１をタッチされると、携帯端末装置２（特に、操作補助処理部２３３）は、アドレスのサンプルとして予め設定されている「taro@test.com」を入力する操作手順をガイドする。
【００６２】
図１０は、表示部１１０が表示する、操作の選択領域を識別可能な操作選択画面のさらにもう１つの例を示す説明図である。同図は、文字種切替キーＡ４０１を識別可能に表示した新規メール作成画面を示している。
図９の画面において直接入力選択領域Ａ３０１をタッチされると、アプリケーション実行部２３０は、図１０の操作選択画面を、表示制御部２１０を介して表示部１１０に表示させる。ユーザが文字種切替キーＡ４０１に１回タッチすることで、入力文字の種類が日本語（平仮名／片仮名／漢字）から、アルファベットに切り替わる。
【００６３】
図１１は、表示部１１０が表示する、操作の選択領域を識別可能な操作選択画面のさらにもう１つの例を示す説明図である。同図は、「や」／「８」／「ＴＵＶ」の文字入力キーＡ５０１を識別可能に表示した新規メール作成画面を示している。
図１０の画面において、識別可能に表示されている文字種切替キーＡ４０１をタッチされると、アプリケーション実行部２３０は、図１１の操作選択画面を、表示制御部２１０を介して表示部１１０に表示させる。ユーザが、「や」／「８」／「ＴＵＶ」の文字入力キーＡ５０１に１回タッチすることで、宛先アドレス欄にアルファベット「ｔ」が入力される。
【００６４】
図１２は、表示部１１０が表示する、操作の選択領域を識別可能な操作選択画面のさらにもう１つの例を示す説明図である。同図は、「か」／「２」／「ＡＢＣ」の文字入力キーＡ６０１を識別可能に表示した新規メール作成画面を示している。
図１１の画面において、識別可能に表示されている「や」／「８」／「ＴＵＶ」の文字入力キーＡ５０１をタッチされると、アプリケーション実行部２３０は、図１２の操作選択画面を、表示制御部２１０を介して表示部１１０に表示させる。ユーザが、「か」／「２」／「ＡＢＣ」の文字入力キーＡ６０１に１回タッチすることで、宛先アドレス欄にアルファベット「ａ」が入力される。
【００６５】
図１３は、表示部１１０が表示する、操作の選択領域を識別可能な操作選択画面のさらにもう１つの例を示す説明図である。同図は、「実行」キーＡ７０１を識別可能に表示した新規メール作成画面を示している。
図１２の画面において、識別可能に表示されている「か」／「２」／「ＡＢＣ」の文字入力キーＡ６０１をタッチされると、アプリケーション実行部２３０は、図１３の操作選択画面を、表示制御部２１０を介して表示部１１０に表示させる。ユーザが「実行」キーＡ７０１にタッチすることで、アプリケーション実行部２３０は、アドレスの入力を完了し（メールアドレス直接入力機能を終了し）、カーソルを件名欄に移動させる。
【００６６】
このように、携帯端末装置２（操作補助処理部２３３）が、サンプルのアドレスを用いてアドレスの直接入力操作をガイドすることで、ユーザは、サンプルのアドレスに限らす、アドレスの直接入力操作を把握し得る。
【００６７】
次に、携帯端末装置２の動作について説明する。
図１４は、携帯端末装置２が行う処理の手順を示すフローチャートである。携帯端末装置２は、自らの電源をＯＮ（接続）されて動作状態になると、同図の処理を行う。
同図の処理において、まず、入力処理部２２０が、表示画面へのタッチが行われたか否か（ユーザが表示画面にタッチしたか否か）を判定する（ステップＳ１０１）。タッチが行われていないと判定した場合（ステップＳ１０１：ＮＯ）、ステップＳ１０１へ戻る。すなわち、入力処理部２２０は、表示画面へのタッチを待ち受ける。
【００６８】
一方、表示画面へのタッチが行われたと判定した場合（ステップＳ１０１：ＹＥＳ）、操作選択処理部２３１は、機能選択画面の表示要求操作が選択されたか否か（入力処理部２２０が「ガイド」キーへのタッチを検出したか否か）を判定する（ステップＳ１０２）。
機能選択画面の表示要求操作が選択されていないと判定した場合（ステップＳ１０２：ＮＯ）、アプリケーション実行部２３０は、タッチにて選択された操作に基づいて通常処理を行う（ステップＳ１２１）。ここでいう通常処理は、操作のガイドとしての選択領域の識別可能な表示を伴わない処理である。
その後、ステップＳ１０１へ戻る。
【００６９】
一方、ステップＳ１０２において、機能選択画面の表示要求操作が選択されたと判定した場合（ステップＳ１０２：ＹＥＳ）、操作選択処理部２３１の判定結果に従って、機能選択処理部２３２が、表示制御部２１０を介して表示部１１０に機能選択画面を表示させる（ステップＳ１１１）。
そして、機能選択処理部２３２は、入力処理部２２０がいずれかの機能を選択するユーザ操作を受け付けたか否かを判定する（ステップＳ１１２）。受け付けていないと判定した場合（ステップＳ１１２：ＮＯ）、ステップＳ１１２へ戻る。すなわち、機能選択処理部２３２は、いずれかの機能を選択するユーザ操作を待ち受ける。
【００７０】
一方、入力処理部２２０がいずれかの機能を選択するユーザ操作を受け付けたと判定した場合（ステップＳ１１２：ＹＥＳ）、アプリケーション実行部２３０は、選択された機能に対応する操作を表示部１１０に表示させ、当該操作に応じた処理を実行する（ステップＳ１１３）。
その後、ステップＳ１０１へ戻る。
なお、制御部２００は、電話着信や電子メールの受信など、ユーザ操作以外の事象（トリガ）に対して、および、図１４の処理の中止を指示するユーザ操作に対しては、割り込み処理にて対応する。
【００７１】
図１５は、アプリケーション実行部２３０が、ユーザの選択した機能に対応する操作を表示部１１０に表示させ、当該操作に応じた処理を実行する手順を示すフローチャートである。アプリケーション実行部２３０は、図１４のステップＳ１１３にて、図１５の処理を実行する。
図１５の処理において、まず、機能選択処理部２３２が、ユーザ操作にて選択された機能を検出し、検出結果を操作補助処理部２３３に通知する（ステップＳ２０１）。
【００７２】
すると、操作補助処理部２３３は、元画面の操作選択画面を表示部１１０に表示させるよう操作選択処理部２３１に指示し、操作選択処理部２３１は、操作補助処理部２３３の指示に従って、表示制御部２１０を介して表示部１１０に元画面を表示させる（ステップＳ２０２）。
また、操作補助処理部２３３は、元画面および選択された機能に基づいて、一連の識別対象（識別可能に表示させる対象となる選択領域）を記憶部３００から読み出す（ステップＳ２０３）。
【００７３】
次に、アプリケーション実行部２３０は、ステップＳ２０３にて操作補助処理部２３３が読み出した識別対象について順に処理を行うループＬ１１を開始する（ステップＳ２１１）。
ループＬ１１において、まず、操作補助処理部２３３は、ループＬ１１にて処理対象となっている識別対象である選択領域を、表示制御部２１０を介して表示部１１０に識別可能に表示させる（ステップＳ２１２）。具体的には、操作補助処理部２３３は、当該識別対象を示す情報を表示制御部２１０に出力して、当該識別情報を識別可能に表示する（表示部１１０に表示させる）よう、表示制御部２１０に指示する。そして、表示制御部２１０は、表示部１１０に表示させている操作選択画面にて識別対象を識別可能に表示する画面画像（の画像データ）を生成し、生成した画面画像を表示部１１０に表示させることで、識別対象を識別可能に表示させる。
【００７４】
次に、操作補助処理部２３３は、入力処理部２２０が識別対象へのタッチを検出したか否かを判定する（ステップＳ２１３）。
入力処理部２２０が識別対象へのタッチを検出していないと判定した場合（ステップＳ２１３：ＮＯ）、ステップＳ２１３へ戻る。すなわち、操作補助処理部２３３は、識別対象へのタッチを待ち受ける。
なお、入力処理部２２０が識別対象以外へのタッチを検出した場合、アプリケーション実行部２３０が、当該タッチを無視するようにしてもよいし、割込み処理にて、図１４および図１５の処理を終了して、タッチに応じた処理を実行するようにしてもよい。
【００７５】
一方、入力処理部２２０が識別対象へのタッチを検出したと判定した場合（ステップＳ２１３：ＹＥＳ）、アプリケーション実行部２３０は、選択領域（識別対象）へのタッチに応じた処理を実行する（ステップＳ２１２）。当該処理にて、アプリケーション実行部２３０（操作選択処理部２３１）は、操作選択画面を更新する。
【００７６】
次に、アプリケーション実行部２３０は、ループＬ１１の終了判定処理を行う（ステップＳ２０９）。具体的には、アプリケーション実行部２３０は、ステップＳ２０３で読み出した一連の識別対象の全てに対して、ループＬ１１の処理を行ったか否かを判定する。未処理の識別対象があると判定した場合は、未処理の識別対象に対して引き続きループＬ１１の処理を実行する。一方、一連の識別対象の全てに対してループＬ１１の処理を行ったと判定した場合、ループＬ１１を終了する。
ループＬ１１を終了すると、アプリケーション実行部２３０は、図１５の処理を終了し、図１４の処理へと戻ってステップＳ１０１へ戻る。
【００７７】
以上のように、機能選択処理部２３２は、複数の操作を含む操作手順にて実行される機能の選択領域を複数含む機能選択画面を表示部１１０に表示させ、入力処理部２２０が検出した領域選択にて選択された機能を検出する。そして、操作補助処理部２３３は、機能選択処理部２３２が検出した機能を実行するための操作手順に含まれる各操作について、当該操作の選択領域を含む操作選択画面を、当該操作の選択領域を識別可能に表示部１１０に表示させる。
これにより、携帯端末装置２の操作を充分に把握していないユーザでも、表示画面を参照して操作を把握することができる。一連の操作を把握することで、ユーザが当該操作を理解し、関連する他の操作についても習熟することを期待し得る。
このように、携帯端末装置２は、当該携帯端末装置２の操作を充分に把握していないユーザに対して操作の補助を行うことができる。
【００７８】
また、操作選択処理部２３１は、図３や図８に例示されるように、機能選択画面の表示要求操作の選択領域を含む操作選択画面を表示部１１０に表示させる。そして、機能選択処理部２３２は、操作選択処理部２３１が、機能選択画面の表示要求操作の選択を検出すると、機能選択画面を表示部１１０に表示させる。
これにより、ユーザは、表示画面へのタッチ操作に迷った際に、操作のガイドを受けるための操作を容易に把握して実行し得る。すなわち、ユーザは、次にタッチすべき選択領域を知りたいときに、タッチする表示画面に「ガイド」キーが表示されているので、次にタッチすべき選択領域を知るための操作（「ガイド」キーへのタッチ）を容易に把握し、実行し得る。
【００７９】
次に、図１６を参照して、本発明の最小構成について説明する。
図１６は、情報処理装置における本発明の最小構成を示す概略ブロック図である。同図において、情報処理装置１は、表示部１１０と、入力処理部２２０と、操作選択処理部２３１と、機能選択処理部２３２と、操作補助処理部２３３とを具備する。同図において、図２の各部に対応する部分には、同一の符号（１１０、２２０、２３１、２３２、２３３）を付している。
【００８０】
かかる構成において、操作選択処理部２３１は、操作の選択領域を複数含む操作選択画面を表示部１１０に表示させ、前入力処理部２２０が検出した領域選択にて選択された操作を検出する。
また、機能選択処理部２３２は、複数の操作を含む操作手順にて実行される機能の選択領域を複数含む機能選択画面を表示部１１０に表示させ、入力処理部２２０が検出した領域選択にて選択された機能を検出する。そして、操作補助処理部２３３は、機能選択処理部２３２が検出した機能を実行するための操作手順に含まれる各操作について、当該操作の選択領域を含む操作選択画面を、当該操作の選択領域を識別可能に表示部１１０に表示させる。
これにより、携帯端末装置２（図２）の場合と同様、情報処理装置１の操作を充分に把握していないユーザでも、表示画面を参照して操作を把握することができる。一連の操作を把握することで、ユーザが当該操作を理解し、関連する他の操作についても習熟することを期待し得る。
このように、情報処理装置１は、当該情報処理装置１の操作を充分に把握していないユーザに対して操作の補助を行うことができる。
【００８１】
なお、情報処理装置１または携帯端末装置２の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００８２】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００８３】
１  情報処理装置
２  携帯端末装置
１１  ＣＰＵ
１２  ＲＯＭ
１３  ＲＡＭ
１４  入力デバイス
１５  グラフィックスアクセラレータ
１６  表示装置
１７  電源装置
１１０  表示部
１２０  操作入力部
２００  制御部
２１０  表示制御部
２２０  入力処理部
２３０  アプリケーション実行部
２３１  操作選択処理部
２３２  機能選択処理部
２３３  操作補助処理部
３００  記憶部
【図１】
2013225247.tif 000003
【図２】
2013225247.tif 000004
【図３】
2013225247.tif 000005
【図４】
2013225247.tif 000006
【図５】
2013225247.tif 000007
【図６】
2013225247.tif 000008
【図７】
2013225247.tif 000009
【図８】
2013225247.tif 000010
【図９】
2013225247.tif 000011
【図１０】
2013225247.tif 000012
【図１１】
2013225247.tif 000013
【図１２】
2013225247.tif 000014
【図１３】
2013225247.tif 000015
【図１４】
2013225247.tif 000016
【図１５】
2013225247.tif 000017
【図１６】
2013225247.tif 000018